(57)【要約】【課題】制御チャンネル情報のようなリソースの動的適応技術を提供する。【解決手段】セル内の個々のユーザ装置に対する高周波状態を知らずにあるメッセージ形式をもつメッセージが送信されるセルにおいて、セル内の複数のユーザ装置の測定された高周波状態にアクセスする。その測定された高周波状態に基づき、そのメッセージ形式をもつメッセージに対して制御チャンネルのための最小制御チャンネルコード化レートを決定する。その最小制御チャンネルコード化レートの決定に続いて、制御チャンネルに対するその決定された最小制御チャンネルコード化レートを使用して、そのメッセージ形式をもつメッセージをセル内の全てのユーザ装置に向けて送信させる。方法、装置、コンピュータプログラム、及びプログラム製品が開示される。方法は、ベースステーション、自己編成ネットワークサーバー、又は他の装置によって遂行される。【選択図】図３
2016100903.tif 000002
【特許請求の範囲】
【請求項１】
セル内の個々のユーザ装置に対する高周波状態を知らずにあるメッセージ形式をもつメッセージが送信されるセルにおいて、セル内の複数のユーザ装置の測定された高周波状態にアクセスし；
前記測定された高周波状態に基づき、前記メッセージ形式をもつメッセージに対して制御チャンネルの最小制御チャンネルコード化レートを決定し；及び
前記最小制御チャンネルコード化レートの決定に続いて、制御チャンネルに対する前記決定された最小制御チャンネルコード化レートを使用して、前記メッセージ形式をもつメッセージをセル内の全てのユーザ装置に向けて送信させる；
ことを含む方法。
【請求項２】
前記高周波状態を決定せずに、前記メッセージ形式をもつメッセージに対して制御チャンネルの初期制御チャンネルコード化レートを設定することを更に含み、前記設定は、前記最小制御チャンネルコード化レートを決定する前に行われ、そして前記決定された最小制御チャンネルコード化レートが前記初期制御チャンネルコード化レートに置き換わる、請求項１に記載の方法。
【請求項３】
前記セル内のユーザ装置の高周波状態を測定することは、
スレッシュホールド量のサンプルが収集されるまで高周波統計情報のサンプルを累積し；及び
スレッシュホールド量のサンプルが収集されたとの決定に応答して、前記測定された高周波状態に基づき、前記メッセージ形式をもつメッセージに対して制御チャンネルの最小制御チャンネルコード化レートを決定することを遂行する；
ことを更に含む、請求項１又は２のいずれか１つに記載の方法。
【請求項４】
前記高周波統計情報を累積することは、次のもの：即ち
ダウンリンク変調及びコード化スキーム使用分布；
チャンネルクオリティインジケータ分布；
アップリンクパスロス分布；又は
サウンド基準信号に基づく信号対干渉及び雑音比分布；
の１つ以上に対する高周波統計情報を累積する、請求項３に記載の方法。
【請求項５】
前記測定することは、前記累積されたサンプルから分布裾動作点を決定することを更に含み、及び
前記最小制御チャンネルコード化レートを決定することは、前記決定された分布裾動作点に基づいて、前記メッセージ形式をもつメッセージに対する制御チャンネルの最小制御チャンネルコード化レートを決定することを更に含む、請求項３から４のいずれか１つに記載の方法。
【請求項６】
前記最小制御チャンネルコード化レートを決定することは、前記メッセージ形式に対する分布裾動作点に基づいて信号対干渉及び雑音を計算し、及びその計算された信号対干渉及び雑音を使用して前記最小制御チャンネルコード化レートを決定することを更に含む、請求項５に記載の方法。
【請求項７】
前記最小制御チャンネルコード化レートを決定することは、前記メッセージ形式をもつメッセージがセル内の全てのユーザ装置へ送信される回数に基づき前記計算された信号対干渉及び雑音を調整することを更に含む、請求項６に記載の方法。
【請求項８】
前記分布裾動作点は、前記メッセージ形式をもつメッセージの送信を遂行するのに応答して、最小制御チャンネルコード化レートの使用によりセル内のユーザ装置がある割合でカバーされるように選択される、請求項５に記載の方法。
【請求項９】
前記方法は、前記最小制御チャンネルコード化レートを決定する前に、且つ制御チャンネルに対して前記決定された最小制御チャンネルコード化レートを使用して前記メッセージ形式をもつメッセージの送信を行う前に、初期制御チャンネルコード化レートを設定し、及びその初期制御チャンネルコード化レートを使用して前記メッセージ形式をもつメッセージをセル内の全てのユーザ装置に送信させることを更に含み；そして前記決定された最小制御チャンネルコード化レートは、前記初期制御チャンネルコード化レートとは異なる、請求項１から８のいずれか１つに記載の方法。
【請求項１０】
前記制御チャンネルは、物理的ダウンリンク制御チャンネルである、請求項１から９のいずれか１つに記載の方法。
【請求項１１】
前記最小制御チャンネルコード化レートは、複数のチャンネル制御要素アグリゲーションレベルの１つである、請求項１０に記載の方法。
【請求項１２】
複数の異なるメッセージ形式があり、各メッセージ形式は、ある数の異なるチャンネル制御要素アグリゲーションレベルに限定され、前記制御チャンネルに対して最小制御チャンネルコード化レートを決定することは、前記メッセージ形式に対する異なるチャンネル制御要素アグリゲーションレベルの前記数を考慮する、請求項１１に記載の方法。
【請求項１３】
前記メッセージ形式は、次のもの：即ちページング；ブロードキャスト制御チャンネル；グループ電力制御；及びコール設定メッセージング；の少なくとも１つである、請求項１から１２のいずれか１つに記載の方法。
【請求項１４】
前記測定された高周波状態に基づき、物理的ダウンリンク共有チャンネルに適した第２のメッセージ形式をもつメッセージに対して物理的ダウンリンク共有チャンネルの最小コードレートを決定し；及び
前記物理的ダウンリンク共有チャンネルの最小コード化レートの前記決定に応答して、前記物理的ダウンリンク共有チャンネルの前記決定された最小コード化レートを使用して、前記第２のメッセージ形式をもつメッセージの送信を行わせる；
ことを更に含む、請求項１から１３のいずれか１つに記載の方法。
【請求項１５】
高周波状態を決定することなく、第２のメッセージ形式をもつメッセージに対して物理的ダウンリンク共有チャンネルの初期コード化レートを設定することを更に含み、この物理的ダウンリンク共有チャンネルの初期コード化レートの設定は、物理的ダウンリンク共有チャンネルの最小コード化レートの決定の前に行われ、及び物理的ダウンリンク共有チャンネルの前記決定された最小コード化レートが前記物理的ダウンリンク共有チャンネルの初期コード化レートに置き換わる、請求項１４に記載の方法。
【請求項１６】
前記第２のメッセージ形式は、次のもの：即ち、ページング；初期コール設定；及びブロードキャスト；の少なくとも１つである、請求項１４又は１５のいずれか１つに記載の方法。
【請求項１７】
ベースステーションにより遂行されるものであって、ベースステーションは、高周波状態にアクセスする前にセル内の複数のユーザ装置の高周波状態を測定し、及び制御チャンネルに対する前記決定された最小制御チャンネルコード化レートを使用して前記メッセージ形式をもつメッセージの送信を行う、請求項１から１６のいずれか１つに記載の方法。
【請求項１８】
自己編成サーバーにより遂行される、請求項１から１６のいずれか１つに記載の方法。
【請求項１９】
１つ以上のプロセッサ、及び
コンピュータプログラムコードを含む１つ以上のメモリ、
を備えた装置において、１つ以上のメモリ及びコンピュータプログラムコードは、１つ以上のプロセッサとで、装置が、少なくとも次のことを遂行し、即ち
セル内の個々のユーザ装置に対する高周波状態を知らずにあるメッセージ形式をもつメッセージが送信されるセルにおいて、セル内の複数のユーザ装置の測定された高周波状態にアクセスし；
前記測定された高周波状態に基づいて、前記メッセージ形式をもつメッセージに対して制御チャンネルの最小制御チャンネルコード化レートを決定し；及び
前記最小制御チャンネルコード化レートの決定に続いて、制御チャンネルに対する前記決定された最小制御チャンネルコード化レートを使用して、前記メッセージ形式をもつメッセージをセル内の全てのユーザ装置に向けて送信させる；
ように構成された、装置。
【請求項２０】
前記１つ以上のメモリ及びコンピュータプログラムコードは、１つ以上のプロセッサとで、装置が、少なくとも次のことを遂行し、即ち前記高周波状態を決定せずに、前記メッセージ形式をもつメッセージに対して制御チャンネルの初期制御チャンネルコード化レートを設定するようにさせるよう構成され、前記設定は、前記最小制御チャンネルコード化レートを決定する前に行われ、そして前記決定された最小制御チャンネルコード化レートが前記初期制御チャンネルコード化レートに置き換わる、請求項１９に記載の装置。
【請求項２１】
前記セル内のユーザ装置の高周波状態を測定することは、
スレッシュホールド量のサンプルが収集されるまで高周波統計情報のサンプルを累積し；及び
スレッシュホールド量のサンプルが収集されたとの決定に応答して、前記測定された高周波状態に基づき、前記メッセージ形式をもつメッセージに対して制御チャンネルの最小制御チャンネルコード化レートを決定することを遂行する；
ことを更に含む、請求項１９から２０のいずれか１つに記載の装置。
【請求項２２】
前記高周波統計情報を累積することは、次のもの：即ち
ダウンリンク変調及びコード化スキーム使用分布；
チャンネルクオリティインジケータ分布；
アップリンクパスロス分布；又は
サウンド基準信号に基づく信号対干渉及び雑音比分布；
の１つ以上に対する高周波統計情報を累積する、請求項２１に記載の装置。
【請求項２３】
前記測定することは、前記累積されたサンプルから分布裾動作点を決定することを更に含み、及び
前記最小制御チャンネルコード化レートを決定することは、前記決定された分布裾動作点に基づいて、前記メッセージ形式をもつメッセージに対する制御チャンネルの最小制御チャンネルコード化レートを決定することを更に含む、請求項２１から２２のいずれか１つに記載の装置。
【請求項２４】
前記最小制御チャンネルコード化レートを決定することは、前記メッセージ形式に対する分布裾動作点に基づいて信号対干渉及び雑音を計算し、及びその計算された信号対干渉及び雑音を使用して前記最小制御チャンネルコード化レートを決定することを更に含む、請求項２３に記載の装置。
【請求項２５】
前記最小制御チャンネルコード化レートを決定することは、前記メッセージ形式をもつメッセージがセル内の全てのユーザ装置へ送信される回数に基づき前記計算された信号対干渉及び雑音を調整することを更に含む、請求項２４に記載の装置。
【請求項２６】
前記分布裾動作点は、前記メッセージ形式をもつメッセージの送信を遂行するのに応答して、最小制御チャンネルコード化レートの使用によりセル内のユーザ装置がある割合でカバーされるように選択される、請求項２３に記載の装置。
【請求項２７】
前記１つ以上のメモリ及びコンピュータプログラムコードは、１つ以上のプロセッサとで、装置が、少なくとも次のことを遂行し、即ち前記最小制御チャンネルコード化レートを決定する前に、且つ制御チャンネルに対して前記決定された最小制御チャンネルコード化レートを使用して前記メッセージ形式をもつメッセージの送信を行う前に、初期制御チャンネルコード化レートを設定し、及びその初期制御チャンネルコード化レートを使用して前記メッセージ形式をもつメッセージをセル内の全てのユーザ装置に送信させるように更に構成され；及び
前記決定された最小制御チャンネルコード化レートは、前記初期制御チャンネルコード化レートとは異なる、請求項１９から２６のいずれか１つに記載の装置。
【請求項２８】
前記制御チャンネルは、物理的ダウンリンク制御チャンネルである、請求項１９から２７のいずれか１つに記載の装置。
【請求項２９】
前記最小制御チャンネルコード化レートは、複数のチャンネル制御要素アグリゲーションレベルの１つである、請求項２８に記載の装置。
【請求項３０】
複数の異なるメッセージ形式があり、各メッセージ形式は、ある数の異なるチャンネル制御要素アグリゲーションレベルに限定され、前記制御チャンネルに対して最小制御チャンネルコード化レートを決定することは、前記メッセージ形式に対する異なるチャンネル制御要素アグリゲーションレベルの前記数を考慮する、請求項２９に記載の装置。
【請求項３１】
前記メッセージ形式は、次のもの：即ちページング；ブロードキャスト制御チャンネル；グループ電力制御；及びコール設定メッセージング；の少なくとも１つである、請求項１９から３０のいずれか１つに記載の装置。
【請求項３２】
前記１つ以上のメモリ及びコンピュータプログラムコードは、１つ以上のプロセッサとで、装置が、少なくとも次のことを遂行し、即ち
前記測定された高周波状態に基づき、物理的ダウンリンク共有チャンネルに適した第２のメッセージ形式をもつメッセージに対して物理的ダウンリンク共有チャンネルの最小コード化レートを決定し；及び
前記物理的ダウンリンク共有チャンネルの最小コード化レートの前記決定に応答して、前記物理的ダウンリンク共有チャンネルの前記決定された最小コード化レートを使用して、前記第２のメッセージ形式をもつメッセージの送信を行わせる；
ようにさせるよう更に構成された、請求項１９から３１のいずれか１つに記載の装置。
【請求項３３】
前記１つ以上のメモリ及びコンピュータプログラムコードは、１つ以上のプロセッサとで、装置が、少なくとも次のことを遂行し、即ち高周波状態を決定することなく、第２のメッセージ形式をもつメッセージに対して物理的ダウンリンク共有チャンネルの初期コード化レートを設定するようにさせるよう構成され、この物理的ダウンリンク共有チャンネルの初期コード化レートの設定は、物理的ダウンリンク共有チャンネルの最小コード化レートの決定の前に行われ、及び物理的ダウンリンク共有チャンネルの前記決定された最小コード化レートが前記物理的ダウンリンク共有チャンネルの初期コード化レートに置き換わる、請求項３２に記載の装置。
【請求項３４】
前記第２のメッセージ形式は、次のもの：即ち、ページング；初期コール設定；及びブロードキャスト；の少なくとも１つである、請求項３２又は３３のいずれか１つに記載の装置。
【請求項３５】
ベースステーションを備え、該ベースステーションは、高周波状態にアクセスする前にセル内の複数のユーザ装置の高周波状態を測定し、及び制御チャンネルに対する前記決定された最小制御チャンネルコード化レートを使用して前記メッセージ形式をもつメッセージの送信を行う、請求項１９から３４のいずれか１つに記載の装置。
【請求項３６】
自己編成サーバーを備えた、請求項１９から３４のいずれか１つに記載の装置。
【請求項３７】
コンピュータと共に使用するためのここに実施されるコンピュータプログラムコードを保持するコンピュータ読み取り可能なストレージ媒体を含むコンピュータプログラム製品において、コンピュータプログラムコードは、
セル内の個々のユーザ装置に対する高周波状態を知らずにあるメッセージ形式をもつメッセージが送信されるセルにおいて、セル内の複数のユーザ装置の測定された高周波状態にアクセスするためのコード；
前記測定された高周波状態に基づいて、前記メッセージ形式をもつメッセージに対して制御チャンネルの最小制御チャンネルコード化レートを決定するためのコード；及び
前記最小制御チャンネルコード化レートの決定に続いて、制御チャンネルに対するその決定された最小制御チャンネルコード化レートを使用して、前記メッセージ形式をもつメッセージをセル内の全てのユーザ装置に向けて送信させるためのコード；
を含むものである、コンピュータプログラム製品。
【発明の詳細な説明】
【技術分野】
【０００１】
本発明は、一般的に、ワイヤレス通信に関するもので、より詳細には、制御チャンネル情報のようなリソースの動的適応に関する。
【背景技術】
【０００２】
本章は、ここに述べる発明に対する背景又は状況を与えることを意図している。ここでの説明は、追求できるが必ずしもこれまでに想像、具現化又は記述されたものでない概念を含むかもしれない。それ故、特に指示のない限り、本章での説明は、本出願の説明に対する従来技術でもないし、且つ本章に含ませることで従来技術として認められるものでもない。明細書及び／又は添付図面に見られる省略形は、特許請求の前で定義する。
【０００３】
セルラー通信システムでは、複数のユーザが自身のユーザ装置（ＵＥ）を経てワイヤレスで無線アクセスネットワーク（ＲＡＮ）に同時にアクセスを試みる。ＬＴＥシステムのＲＡＮは、ｅＮＢにおいて実施される。ＲＡＮとＵＥとの間にアップリンク及びダウンリンクのユーザデータが通され、ＲＡＮは、ＰＤＣＣＨチャンネルを経てアップリンク及び／又はダウンリンクのデータ指定を送信する必要がある。
【０００４】
ＰＤＣＣＨは、限定数の制御チャンネル要素（ＣＣＥ）を備え、これらは、ＵＥへ確実に送信するのに必要なコード化レートの関数として１、２、４又は８のグループに構成される。ＣＣＥをより多く使用するほど、送信の信頼性は高くなる（例えば、コード化レートは低くなる）が、容量の消費は多くなる。利用可能なＰＤＣＣＨ  ＣＣＥの合計数は、ＰＤＣＣＨにより使用するように構成されたシステムの帯域巾及び記号の数に依存し、その最大数は、ＬＴＥ規格により限定される。
【０００５】
アップリンク及びダウンリンク送信は両方ともＰＤＣＣＨの使用を要求し、且つＰＤＣＣＨの容量には限度があるので、ＰＤＣＣＨは、ＬＴＥシステム内で容量に関する重大なボトルネックとなる。このことは、セルラー産業において充分に認識されている。
【０００６】
セルラー装置のある顧客は、非常に高いＬＴＥ接続ＵＥ容量を要求し、それら顧客は、セル／キャリア当たり１０００以上のＲＲＣ接続ＵＥを要求する。これら要求に合致するため現在及び将来のＬＴＥ発売における接続ＵＥ容量を増加するための特徴について研究がなされている。
【発明の概要】
【発明が解決しようとする課題】
【０００７】
接続ＵＥ容量が増加するにつれて、ＰＤＣＣＨは、著しい容量及び性能ボトルネックに急速に到達する。これは、ＰＤＣＣＨを使用して、ユーザデータ（ＤＴＣＨ）と、状態ＰＤＵ、時間整列コマンド、バッファ状態レポート及び他の情報等の周期的制御情報（ＤＣＣＨ、ＣＣＣＨ）と、の両方を各接続ＵＥに対してスケジューリングする必要があり、各接続ＵＥに対するこれらスケジューリングイベントの各々がＰＤＣＣＨ容量を要求するためである。
【０００８】
例えば、ＰＤＣＣＨ容量ボトルネックの激しさを回避又は低減するためにセルにおいて接続ＵＥ容量が増加するときにＰＤＣＣＨの使用を改善することが有益である。
【課題を解決するための手段】
【０００９】
本章は、幾つかの例を包含するが、それに限定するものではない。
【００１０】
規範的な方法は、セル内の個々のユーザ装置に対する高周波状態を知らずにあるメッセージ形式をもつメッセージが送信されるセルにおいて、セル内の複数のユーザ装置の測定された高周波状態にアクセスし；その測定された高周波状態に基づき、そのメッセージ形式をもつメッセージに対して制御チャンネルの最小制御チャンネルコード化レートを決定し；及びその最小制御チャンネルコード化レートの決定に続いて、制御チャンネルに対するその決定された最小制御チャンネルコード化レートを使用して、そのメッセージ形式をもつメッセージをセル内の全てのユーザ装置に向けて送信させる；ことを含む。
【００１１】
付加的な規範的実施形態は、プロセッサでコンピュータプログラムが実行されるときに前記段落の方法を遂行するためのコードを含むコンピュータプログラムを包含する。この段落のコンピュータプログラムは、コンピュータと共に使用するためのここに実施されるコンピュータプログラムコードを保持するコンピュータ読み取り可能な媒体を含むコンピュータプログラム製品である。
【００１２】
規範的装置は、１つ以上のプロセッサ、及びコンピュータプログラムコードを含む１つ以上のメモリを備えている。１つ以上のメモリ及びコンピュータプログラムコードは、１つ以上のプロセッサとで、装置が、少なくとも次のことを遂行し、即ちセル内の個々のユーザ装置に対する高周波状態を知らずにあるメッセージ形式をもつメッセージが送信されるセルにおいて、セル内の複数のユーザ装置の測定された高周波状態にアクセスし；その測定された高周波状態に基づき、そのメッセージ形式をもつメッセージに対して制御チャンネルの最小制御チャンネルコード化レートを決定し；及びその最小制御チャンネルコード化レートの決定に続いて、制御チャンネルに対するその決定された最小制御チャンネルコード化レートを使用して、そのメッセージ形式をもつメッセージをセル内の全てのユーザ装置に向けて送信させる；ように構成される。
【００１３】
更に別の規範的実施形態は、セル内の個々のユーザ装置に対する高周波状態を知らずにあるメッセージ形式をもつメッセージが送信されるセルにおいて、セル内の複数のユーザ装置の測定された高周波状態にアクセスするための手段；その測定された高周波状態に基づき、そのメッセージ形式をもつメッセージに対して制御チャンネルの最小制御チャンネルコード化レートを決定するための手段；及びその最小制御チャンネルコード化レートの決定に続いて、制御チャンネルに対するその決定された最小制御チャンネルコード化レートを使用して、そのメッセージ形式をもつメッセージをセル内の全てのユーザ装置に向けて送信させるための手段；を備えた装置である。
【００１４】
規範的なコンピュータプログラム製品は、コンピュータと共に使用するためのここに実施されるコンピュータプログラムコードを保持するコンピュータ読み取り可能なストレージ媒体を含む。コンピュータプログラムコードは、セル内の個々のユーザ装置に対する高周波状態を知らずにあるメッセージ形式をもつメッセージが送信されるセルにおいて、セル内の複数のユーザ装置の測定された高周波状態にアクセスするためのコード；その測定された高周波状態に基づき、そのメッセージ形式をもつメッセージに対して制御チャンネルの最小制御チャンネルコード化レートを決定するためのコード；及びその最小制御チャンネルコード化レートの決定に続いて、制御チャンネルに対するその決定された最小制御チャンネルコード化レートを使用して、そのメッセージ形式をもつメッセージをセル内の全てのユーザ装置に向けて送信させるためのコード；を含む。
【図面の簡単な説明】
【００１５】
【図１】幾つかの実施形態が具現化されるシステムの考えられる実施例のブロック図である。
【図２】カバレージ対ＰＤＣＣＨ容量の実施例を示す。
【図３】ＲＡＮ負荷に対するオーバーヘッドメッセージのＰＤＣＣＨ適応のような動的なリソース適応のための論理フローチャートで、方法の一例の動作、コンピュータ読み取り可能なメモリで実施されるコンピュータプログラムインストラクションの実行の結果、ハードウェアで実施されるロジックにより遂行される機能、及び／又は実施形態による機能を遂行するための相互接続された手段を示す。
【図４】累積されたＲＦ統計情報の一例を示す。
【図５】使用中のＤＬ  ＭＣＳの一例に対するＡＷＧＮ  ＳＩＮＲテーブルの一例を示す図である。
【図６】動的なリソース適応のための論理フローチャートで、方法の一例の動作、コンピュータ読み取り可能なメモリで実施されるコンピュータプログラムインストラクションの実行の結果、ハードウェアで実施されるロジックにより遂行される機能、及び／又は実施形態による機能を遂行するための相互接続された手段を示す。
【発明を実施するための形態】
【００１６】
ここに述べる実施形態は、例えば、ＲＡＮ負荷に対するオーバーヘッドメッセージの動的なＰＤＣＣＨ（及び他の制御チャンネル）適応のための技術について説明する。従来の技術及び動的なＰＤＣＣＨ適応の技術の付加的な説明は、幾つかの実施形態が使用される１つの考えられるシステムについて説明した後に行う。
【００１７】
図１を参照すれば、この図は、幾つかの実施形態が具現化されるシステムの一例のブロック図である。図１において、ＵＥ１１０は、ワイヤレスネットワーク１００とワイヤレス通信する。ユーザ装置１１０は、１つ以上のプロセッサ１２０と、１つ以上のメモリ１２５と、１つ以上のトランシーバ１３０とを備え、これらは、１つ以上のバス１２７を経て相互接続される。１つ以上のトランシーバ１３０の各々は、受信器Ｒｘ１３２及び送信器Ｔｘ１３３を備えている。１つ以上のバス１２７は、アドレス、データ、又は制御バスであり、そして相互接続メカニズム、例えば、マザーボード又は集積回路上の一連のライン、光ファイバ又は他の光学的通信装置、等を含む。１つ以上のトランシーバ１３０は、１つ以上のアンテナ１２８に接続される。１つ以上のメモリ１２５は、コンピュータプログラムコード１２３を含む。ＵＥ１１０は、ワイヤレスリンク１１１を経てｅＮＢ１７０−１と通信する。
【００１８】
ｅＮＢ１７０は、ＵＥ１１０のようなワイヤレス装置によってワイヤレスネットワーク１００へのアクセスを与えるベースステーションである。この例にはＮ個のｅＮＢ１７０があり、ｅＮＢ１７０−１の内部の幾つかの部分しか示されていない。単一のｅＮＢは、“ｅＮＢ１７０”と称され、そして複数のｅＮＢは、“ｅＮＢｓ１７０”と称される。ｅＮＢ１７０（ｅＮＢ１７０−１で示された）は、１つ以上のプロセッサ１５２、１つ以上のメモリ１５５、１つ以上のネットワークインターフェイス（Ｎ／Ｗ  Ｉ／Ｆ）１６１、及び１つ以上のトランシーバ１６０を備え、これらは、１つ以上のバス１５７を経て相互接続される。１つ以上のトランシーバ１６０の各々は、受信器Ｒｘ１６２及び送信器Ｔｘ１６３を備えている。１つ以上のトランシーバ１６０は、１つ以上のアンテナ１５８に接続される。１つ以上のメモリ１５５は、コンピュータプログラムコード１５３を含む。ｅＮＢ１７０は、動的制御チャンネル（例えば、ＰＤＣＣＨ及びおそらくＰＤＳＣＨ）適応モジュール１５０を備え、これは、多数の仕方で実施できる部分１５０−１及び／又は１５０−２の一方又は両方を含む。動的制御チャンネル適応モジュール１５０は、動的制御チャンネル適応モジュール１５０−１としてハードウェアで実施され、例えば、１つ以上のプロセッサ１５２の一部分として実施される。又、動的制御チャンネル適応モジュール１５０−１は、集積回路として、又はプログラム可能なゲートアレイのような他のハードウェアを通して実施されてもよい。別の例として、動的制御チャンネル適応モジュール１５０は、動的制御チャンネル適応モジュール１５０−２として実施され、これは、コンピュータプログラムコード１５３として実施され且つ１つ以上のプロセッサ１５２によって実行される。例えば、１つ以上のメモリ１５５及びコンピュータプログラムコード１５３は、１つ以上のプロセッサ１５２とで、ここに述べるオペレーションの１つ以上をｅＮＢ１７０に遂行させるように構成される。１つ以上のネットワークインターフェイス１６１は、ネットワークにわたり、例えば、リンク１７６及び１３１を経て通信する。２つ以上のｅＮＢ１７０は、例えば、リンク１７６を使用して通信する。リンク１７６は、ワイヤード又はワイヤレス又はその両方であり、そして例えば、Ｘ２インターフェイスを実施する。
【００１９】
セルは、ｅＮＢの一部分を形成することに注意されたい。即ち、ｅＮＢ当たり複数のセルがある。例えば、単一のｅＮＢキャリア周波数及びそれに関連した帯域巾に対して３つのセルが存在し、各セルは、３６０°エリアの１／３をカバーし、１つのｅＮＢのカバレージエリアがほぼ楕円形又は円形を網羅するようにする。更に、各セルは、単一キャリアに対応し、そしてｅＮＢは、複数のキャリアを使用する。従って、キャリア当たり３つの１２０°セルがあり且つ２つのキャリアがある場合には、ｅＮＢは、全部で６個のセルを有する。
【００２０】
１つ以上のバス１５７は、アドレス、データ又は制御バスであり、そして相互接続メカニズム、例えば、マザーボード又は集積回路上の一連のライン、光ファイバ又は他の光学的通信装置、ワイヤレスチャンネル、等を含む。例えば、１つ以上のトランシーバ１６０は、リモート無線ヘッド（ＲＲＨ）１９５として実施され、ｅＮＢ１７０の他の要素は、ＲＲＨとは物理的に異なる位置にあり、そして１つ以上のバス１５７は、ｅＮＢ１７０の他の要素をＲＲＨ１９５に接続するための光ファイバケーブルとして一部分実施することができる。
【００２１】
ワイヤレスネットワーク１００は、ネットワーク制御要素（ＮＣＥ）１９０を備え、これは、ＭＭＥ／ＳＧＷ機能を含むと共に、電話ネットワーク及び／又はデータ通信ネットワーク（例えば、インターネット）のような更に別のネットワークとの接続性を与える。ｅＮＢ１７０は、リンク１３１を経てＮＣＥ１９０に結合される。リンク１３１は、例えば、Ｓ１インターフェイスとして実施される。ＮＣＥ１９０は、１つ以上のプロセッサ１７５、１つ以上のメモリ１７１及び１つ以上のネットワークインターフェイス（Ｎ／Ｗ  Ｉ／Ｆ）１８０を備え、これらは、１つ以上のバス１８５を通して相互接続される。１つ以上のメモリ１７１は、コンピュータプログラムコード１７３を含む。１つ以上のメモリ１７１及びコンピュータプログラムコード１７３は、１つ以上のプロセッサ１７５とで、ＮＣＥ１９０に１つ以上のオペレーションを遂行させるように構成される。
【００２２】
ここに述べる技術は、ｅＮＢ１７０（例えば、ｅＮＢ１７０−１）で実行されるが、必要な統計学的情報をｅＮＢから収集できる限り、Ｄ−ＳＯＮ／Ｃ−ＳＯＮアプリケーションとして遠隔で実行することもできる。例えば、ｅＮＢ１７０のＤ−ＳＯＮサーバー１８８又はＣ−ＳＯＮサーバー１９８は、ここに述べるオペレーションを遂行し、そしてｅＮＢ１７０又は複数のｅＮＢ１７０からのＲＦ統計情報にアクセスし／受信し、ｅＮＢ(ｓ)１７０をそれに対応する制御チャンネル（例えば、ＰＤＣＣＨ）及びデータ保持チャンネル（例えば、ＰＤＳＣＨ）コード化レートで構成し、そしてそれに関連するコード化レートを使用してＰＤＣＣＨ及びＰＤＳＣＨを経てｅＮＢ(ｓ)１７０に送信を行わせる。Ｄ−ＳＯＮサーバー１８８及びＣ−ＳＯＮサーバー１９８は、ソフトウェアとして、ハードウェアとして、又はソフトウェア及びハードウェアの両方の組み合わせとして実施することができる。Ｄ−ＳＯＮサーバー１８８は、ｅＮＢ１７０から分離される（が、おそらくその中で実施される）と考えられ、Ｄ−ＳＯＮは、ｅＮＢからＲＦデータを受信し、ＰＤＣＣＨ及びＰＤＳＣＨコード化レートを決定し、その決定したＰＤＣＣＨ及びＰＤＳＣＨコード化レートをｅＮＢに送信し、そしてｅＮＢにＰＤＣＣＨ及びＰＤＳＣＨコード化レートを使用させねばならない。しかしながら、その実施は、適応をスピードアップするためにより密接に結合させることができる。Ｃ−ＳＯＮサーバー１９８は、多数のｅＮＢ１７０から情報を収集することができる。又、Ｃ−ＳＯＮサーバー１９８は、多数の売主製品とで機能するように標準化することもできる。Ｃ−ＳＯＮの考えられる欠点は、Ｄ−ＳＯＮより状態変化に対する適応速度が遅いことである。
【００２３】
ワイヤレスネットワーク１００は、ハードウェア及びソフトウェアのネットワークリソース及びネットワーク機能を、単一のソフトウェアベースの管理エンティティ、即ちバーチャルネットワークへ結合するプロセスであるネットワークバーチャル化を実施する。ネットワークバーチャル化は、リソースバーチャル化としばしば結合されるプラットホームバーチャル化を含む。ネットワークバーチャル化は、多数のネットワーク又はネットワークの部分をバーチャルユニットへ結合する外部として分類されるか、又は単一システムのソフトウェアコンテナへネットワーク状の機能を与える内部として分類される。ネットワークバーチャル化から生じるバーチャル化されたエンティティは、プロセッサ１５２又は１７５並びにメモリ１５５及び１７１のようなハードウェアを使用して、あるレベルで、依然として実施されると共に、そのようなバーチャル化されたエンティティは、技術的な効果も生じることに注意されたい。
【００２４】
コンピュータ読み取り可能なメモリ１２５、１５５及び１７１は、ローカルな技術的環境に適した任意の形式のもので、適当なデータストレージ技術、例えば、半導体ベースのメモリ装置、フラッシュメモリ、磁気メモリ装置及びシステム、光学的メモリ装置及びシステム、固定メモリ及び取り外し可能なメモリを使用して実施される。プロセッサ１２０、１５２及び１７５は、ローカルな技術的環境に適した任意の形式のもので、非限定例として、汎用コンピュータ、特殊目的コンピュータ、マイクロプロセッサ、デジタル信号プロセッサ（ＤＳＰ）、及びマルチコアプロセッサアーキテクチャーに基づくプロセッサの１つ以上を含む。
【００２５】
上述したように、ある状況において制御チャンネル（例えば、ＰＤＣＣＨ）容量ボトルネックがある。この容量ボトルネックがあると、ベースステーション又はＳＯＮノードのようなネットワークノードにＰＤＣＣＨ容量（例えば、信頼性）パラメータを動的に最適化させて、接続されたＵＥ負荷が増加するときにそれらサイトのＰＤＣＣＨ混雑及び性能を改善させることが望ましい。
【００２６】
制御チャンネル（例えば、ＰＤＣＣＨ）送信に対する容量と信頼性との間には基本的なトレードオフが存在する。ＲＦチャンネルにわたるＰＤＣＣＨ信頼性が高まるにつれて、ＰＤＣＣＨ容量が減少する（従って、例えば、スケジューリングレートを下げねばならない）。逆に、ＰＤＣＣＨ  ＲＦの信頼性が低くなるにつれて、ＰＤＣＣＨ容量が高くなる（従って、例えば、スケジューリングレートを上げねばならない）。
【００２７】
ＰＤＣＣＨ容量と、カバレージと、スループット（スペクトル効率）との間の関係の一例が図２に示されている。図２は、一般的なカバレージ図であり、理論的な関係を示す。セル２００（ここでは楕円形で示されているが、楕円形は、実際には、上述したように、３つのセルである）が示されており、アンテナ１５８（図２には示さず）を有する塔２８０を取り巻いている。エリア２１０内のＵＥ１１０には、２−ＣＣＥ  ＰＤＣＣＨカバレージが指定される。これらのＵＥ１１０は、参照番号２４０で示されたように、ＲＦカバレージに優れ、スペクトル効率／スループットが高く、且つＰＤＣＣＨ容量をあまり必要としないＵＥである。エリア２２０のＵＥ１１０には、４−ＣＣＥ  ＰＤＣＣＨカバレージが指定される。これらのＵＥ１１０は、参照番号２５０で示されたように、適度なＲＦカバレージをもち、適度なスペクトル効率／スループットをもち、且つ適度なＰＤＣＣＨ容量を必要とするＵＥである。エリア２３０のＵＥ１１０には、８−ＣＣＥ  ＰＤＣＣＨカバレージが指定される。これらのＵＥ１１０は、参照番号２６０で示されたように、ＲＦカバレージが悪く、スペクトル効率／スループットが低く、且つ高いＰＤＣＣＨ容量を必要とするＵＥである。ＱｒｘＬｅｖＭｉｎ限界も示されており、これは、セル２００の最小必要信号強度を示すパラメータである。
【００２８】
図２は、ターゲットＵＥのＲＦ状態が未知であるメッセージが、ＰＤＣＣＨコード化レートに対して最も控え目の選択（即ち、８ＣＣＥ）を使用して送信されるので、理論的な関係を示すものとして説明される。即ち、システムデフォールトは、通常、８ＣＣＥを常時使用することである。これは、最も控え目な選択である。従って、図２に示されたものは、理論的には可能であるが、ここに述べるメッセージ形式については、セル内の全てのＵＥ１１に対して８ＣＣＥの最も控え目な選択だけが実際に使用される。対照的に、例えば、ＰＤＣＣＨの視点から決定を試みることは、セル内のユーザの９９％（例えば）のカバレージを、例えば、４ＣＣＥで達成できるか、又は８ＣＣＥが必要とされるかである。
【００２９】
より詳細には、ここに述べる幾つかの実施形態は、セルの負荷の関数として制御チャンネル容量関連パラメータの最適化を経てセルのＲＦカバレージとその容量との間のトレードオフを動的に最適化する。これは、接続されるＵＥの数、及びセルにより保持されるデータトラフィックの量の両方を最大にし、従って、オペレータのデータトラフィック収入を最大にすることができる。
【００３０】
例えば、ＰＤＣＣＨチャンネルは、ターゲットＵＥのＲＦ状態が未知であるために「一般的(generic)」又は「盲目的(in the blind)」エンコーディングを使用するメッセージを搬送する。これは、ページング、セルブロードキャスト（ＢＣＣＨ）、グループ電力制御（ＰＧＣ）、及び／又は初期コール設定メッセージングを含む。最良のカバレージを与えるために、これらのメッセージは、ターゲットＵＥに最良のコード化レートを与える８ＣＣＥを使用して送信される。しかしながら、８ＣＣＥのＰＤＣＣＨアグリゲーションレベルの使用は、特にビジー状態の場合に、ＰＤＣＣＨチャンネル容量に大きな影響を及ぼす。更に、これらメッセージのＰＤＳＣＨエンコーディングも、同様に、広域カバレージに対してエンコードすることができ、これは、必要でなくても多量のＰＤＳＣＨ  ＰＲＢリソースを取り上げることができる。
【００３１】
現在のＬＴＥシステムは、ＰＣＦＩＣＨ  ＣＦＩ（例えば、ＰＤＣＣＨに使用される記号の数）を経てＰＤＣＣＨ  ＣＣＥ容量の動的管理のような機能によりＰＤＣＣＨ容量を動的に変化させることができる。
【００３２】
更に、Ｃ−ＳＯＮ及びＤ−ＳＯＮは、ＭＬＢのような機能に関連したシステム負荷を管理するためのシステムを有する。ＭＬＢは、セル当りの接続ＵＥの数を管理して、複数のセルにわたって接続ＵＥの負荷をより均一に分布し、従って、低い「ピークセル」ＰＤＣＣＨ負荷を達成する。しかしながら、これらのシステムは、接続ＵＥの負荷は低いがＲＦ状態が悪いセルにＵＥを入れる傾向がある。その結果、ＭＬＢを経て移動したＵＥは、より大きなＣＣＥ容量（例えば、高いＣＣＥアグリゲーションレベル）を要求する傾向があり、ひいては、ＵＥが無負荷にされる（セル特有のオフセットを経て）セルにおいてより多くのＰＤＣＣＨ容量を消費し、これは、全システムレベルでは、全ＰＤＣＣＨ負荷を高めることがある。従って、ＭＬＢがセル間の負荷をバランスするので、ＭＬＢは、ＰＤＣＣＨを始動して、既に負荷のかかったセルにボトルネックを生じさせる。ここに述べる幾つかの実施形態は、制御チャンネル（例えば、ＰＤＣＣＨ）リソースをより効率的に使用することによりＭＬＢを補足する。
【００３３】
ここでの１つの考え方は、ｅＮＢ１７０内（即ち、ｅＮＢのセル内）の幾つかのＵＥのＲＦ状態を測定し、そしてそれらの測定値を使用して、最小のＰＤＣＣＨ  ＣＣＥアグリゲーションレベル及び最小ＰＤＳＣＨコード化レートを、ＵＥのＲＦ状態を知らずに送信されたメッセージに対して決定する。ＵＥは、例えば、ランダムに選択することができる。ＵＥのＲＦ状態を知らずに送信されたメッセージは、セル内の全てのＵＥに１つのメッセージが送信される「共通」メッセージである。上述したように、各ＵＥは、ＲＦ状態が異なるので、ｅＮＢは、最悪の場合のＲＦ状態、即ち最低の共通分母を仮定しなければならない。そのようなメッセージは、例えば、上述したように、ページング、セルブロードキャスト（ＢＣＣＨ）、グループ電力制御（ＧＰＣ）及び初期コール設定である。ここに示す幾つかの例では、全てのＵＥのＲＦ状態は、集合体として知られているが、ＲＦ状態は、個々のＵＥについては知られていない。即ち、実施形態では、共通メッセージを受信する個々のＵＥのＲＦ状態を知らずに、セル内のＵＥの集合体のＲＦ状態が使用される。
【００３４】
ここに述べる幾つかの実施例は、ＰＤＣＣＨチャンネル容量がボトルネックである高い負荷のセルに最も利益を与える。又、これら実施例は、現在ＲＦ状態により許される場合にはコード化レートを下げることによりＰＤＳＣＨの負荷を減少するという二次的な影響も与える。高い負荷の「列車ステーション」シナリオに見られるものから、ＰＤＣＣＨ容量は、ＰＤＳＣＨ容量よりボトルネックが大きい。従って、ＰＤＣＣＨチャンネルの改善は、実際に重要であり、そしてＰＤＳＣＨのコード化レートの改善に関してここに述べる技術は、スキップされてもよいが、ここに述べる技術は、依然、非常に有益である。
【００３５】
幾つかの実施形態は、個々のターゲットＵＥのＲＦ状態を知らずに送信されるメッセージに対して必要なＰＤＣＣＨ及びＰＤＳＣＨコード化レートの自動的な決定を許すという点で初期の解決策を改善する。このＰＤＣＣＨ／ＰＤＳＣＨコード化レートは、各セルの独特のＲＦ環境及びそれらメッセージの望ましい配信に基づくものである。ここに述べる実施形態は、使用するＰＤＣＣＨ  ＣＣＥの数を取り上げるだけでなく、ＰＤＳＣＨコード化レートを下げる（例えば、使用するＰＲＢの数を減少する）ことも試みる。これは、実際のデータトラフィックに対してより多くのＰＤＳＣＨ  ＰＲＢを残し、これは、例えば、ページング、初期コール設定及びブロードキャストに対するＰＲＢ使用減少のためにより高いＤＬスループットを意味する。
【００３６】
幾つかの実施形態に進む前に、用語について言及する。ＰＤＣＣＨの制御チャンネルについて、用語「ＰＤＣＣＨコード化レート」又は「ＰＤＣＣＨ  ＣＣＥアグリゲーションレベル」の両方が使用される。これらの用語は、ここでは同等と考えられる。特定のＰＤＣＣＨ  ＣＣＥアグリゲーションレベルが所与のＰＤＣＣＨ  ＤＣＩフォーマットに対する特定のコード化レートに結び付けられ（全てのフォーマットは、ペイロードサイズが異なる傾向にあり、従って、コード化レートが異なる傾向にあり）、そして特定のコード化レートは、必要なＳＩＮＲを表す。
【００３７】
一実施形態は、例えば、次のステップを有する。
【００３８】
１）デフォールト動作点（控え目）をセットする。
【００３９】
２）ＲＦ統計情報を収集する。
【００４０】
３）ＲＦ統計情報から望ましい配布裾動作点を決定する。
【００４１】
４）ターゲットメッセージに対する配信信頼性及びＨＡＲＱ状繰り返しに基づき（３）から必要な調整を決定する。
【００４２】
５）ターゲットメッセージに対するＰＤＣＣＨアグリゲーションレベル及びＰＤＳＣＨコード化レートを決定する。
【００４３】
一実施形態のより特定の例は、ＲＡＮ負荷に対するオーバーヘッドメッセージのＰＤＣＣＨ適応のような動的なリソース適応の論理フローチャートである図３を参照することにより理解されよう。図３は、方法の一例の動作、コンピュータ読み取り可能なメモリにおいて実施されるコンピュータプログラムインストラクションの実行の結果、ハードウェアで実施されるロジックにより遂行される機能、及び／又は一実施形態の一例により機能を遂行するための接続された手段を示す。図３は、例えば、少なくとも一部分は動的制御チャンネル適応モジュール１５０による制御のもとで、ｅＮＢ１７０のようなベースステーションにより遂行される。図３は、ベースステーションにより遂行されるものとして特徴付けられるが、図３のブロック及び他の実施形態は、ベースステーションより小さな装置、例えば、プログラムされたプロセッサ又は特別にプログラムされた集積回路のようなＳＯＮサーバー又はモジュールによって遂行されてもよいことに注意されたい。そのような装置は、ベースステーションの一部分を形成する。図３は、典型的に、セルごとに遂行されることに注意されたい。
【００４４】
フロー３００は、ブロック３１０においてスタートし、ｅＮＢ１７０は、例えば、ＰＤＣＣＨ／ＰＤＳＣＨに対してデフォールトエンコーディングを初期化する。ブロック３１０は、前記ステップ（１）に対応する。ブロック３１０において、ＲＦ統計情報がリセットされる。ブロック３２０において、ｅＮＢ１７０は、ＲＦ統計情報を累積する。ｅＮＢ１７０が、充分なサンプルが収集されないと決定すると（ブロック３２５＝ノー）、フロー３００は、ブロック３２０へ進む。ブロック３１５、３２０及び３２５は、前記ステップ（２）に対応する。
【００４５】
ｅＮＢ１７０が、充分なサンプルが収集されたと決定すると（ブロック３２５＝イエス）、フロー３００はブロック３３０へ進む。ブロック３３０において、ｅＮＢ１７０は、新たな分布「裾」動作点を決定する。ブロック３２５の一例は、統計学的意義に基づく。即ち、平均の偏差を減少するために充分なサンプルが累積される。しかしながら、他の技術が使用されてもよい。ブロック３３０は、前記規範的実施ステップ（３）である。初めてブロック３３０に入り、（第１の）新たな分布裾動作点が決定される。その後にブロック３３０に入ると、付加的な動作点が決定される。ブロック３４０では、ｅＮＢ１７０は、ターゲットメッセージに対する動作点からＳＩＮＲを計算する。ブロック３４０は、前記ステップ（３）の実施例である。ブロック３４５では、ｅＮＢ１７０は、ターゲットメッセージに対する動作点から（例えば、ＳＩＮＲから）ＳＩＮＲ調整量を計算する。これは、前記ステップ（４）に対応する。ブロック３５０において、ｅＮＢ１７０は、ターゲットメッセージに対する新たなＰＤＣＣＨ／ＰＤＳＣＨエンコーディングを計算する。ブロック３５０は、前記ステップ（５）の実施例である。フロー３００は、ブロック３１５へ続き、ＲＦ統計情報がリセットされる。ある実施形態では、ＲＦ統計情報をリセットすると、「あまりに」昔に累積された状態からの影響なくＲＦ統計情報を決定するという利益が得られる。しかしながら、ＲＦ統計情報をリセットしなくてもよく、むしろ、ＲＦ統計情報を累積するように続き（矢印３５１を参照）、例えば、ＲＦ統計情報の時間重み付け平均が遂行される。例えば、時間重み付けが適用されると、最も新しいＲＦ統計情報に最も高い重みが与えられ、そして以前の時間に累積されたＲＦ統計情報に適用される重みは、時間が現在時間から以前の時間へ移行するときに減少される。現在時間からある以前の時間に、重みがゼロになる。
【００４６】
前記ステップ及び図３のブロックの付加的な説明を以下に行う。ステップ（１）及び図３のブロック３１０に関して、この動作は重要である。というのは、信頼性のある分布を決定するためにステップ（２）並びにブロック３２０及び３２５において統計学的に意義のある充分なデータ点を収集するのに長い時間を要するからである。これは、ステップ（２）を遂行し、分布の裾、公称１％点を決定するための１つの技術が多数のサンプルを必要とするので、特に重要である。ステップ（２）は、この裾端（公称１％）動作点において状態を良好に決定するために（例えば）１％の分布裾点においてサンプルされたＵＥの全数又はサンプルのスレッシュホールド数に対してスレッシュホールドを得ることが必要である（例えば、ブロック３２５として実施される）。
【００４７】
これは、負荷の軽いサイトがステップ（２）（ブロック３２０及び３２５）を行うのに非常に長い時間を要し、従って、比較的長い時間に対して、デフォールト、控え目の公称動作点を得ることを意味する。これは、実際には、問題とならない。というのは、負荷の軽いサイトは、過剰な容量を有し、ここに述べる技術をおそらくあまり重要でないものにするからである。ここに述べる技術は、ＰＤＣＣＨチャンネル容量がボトルネックとなる負荷の重いセルにおいて最も重要である。負荷の重いセルでは、ステップ（２）及びそれに対応するブロック３２０及び３２５は、非常に迅速に満足することができる。ステップ（２）が満足されると、それらの結果は、ステップ（２）の統計情報累積がＲＦ状態の次の更新について再開されるときに保持することができる。
【００４８】
セルのＲＦ状態（前記ステップ（２）及び図３のブロック３２０及び３２５）は、多数の技術を経て決定される。
【００４９】
−ＤＬ  ＭＣＳ使用分布を累積し；
【００５０】
−ＣＱＩ分布を累積し；
【００５１】
−ＵＬパスロス分布を累積し；及び／又は
【００５２】
−ＳＲＳ  ＳＩＮＲ分布を累積する。
【００５３】
ＤＬ  ＭＣＳ使用分布は、望ましい配信信頼性ターゲット（１％欠陥のような）に関連して使用されて、最小のＰＤＣＣＨ  ＣＣＥアグリゲーションレベル及びＰＤＳＣＨコード化レートを決定することができる。例えば、ＲＦ状態が良好なｅＮＢでは、ＭＣＳ分布の１％裾（ステップ（３）、ブロック３３０）がＭＣＳ９である。ＭＣＳ９は、ＳＩＮＲへマップされる（ステップ（３）、ブロック３４０）。このＳＩＮＲは、次いで、メッセージ形式ごとに望ましいＰＤＣＣＨ及びＰＤＳＣＨエンコーディングを行うという基礎を与える。
【００５４】
ＣＱＩ分布は、ＭＣＳより粒度が低いが、ＣＱＩ分布はＳＩＮＲへマップできるので、分布の裾（例えば、１％点、ステップ３、ブロック３３０）は、前記ＭＣＳの場合のように使用して、セル規模で１％ＳＩＮＲを決定することもできる。ＭＣＳの場合と同様に、これは、上述したページング、ＢＣＣＨ、ＧＰＣ及びコール設定（ＰＤＣＣＨのための）及びページング、ＢＣＣＨ及びコール設定（ＰＤＳＣＨのための）メッセージのような「盲目的」に送信されるメッセージに対してＰＤＣＣＨ及びＰＤＳＣＨエンコーディングを決定するための基礎として使用できる。
【００５５】
ＵＬパスロスは、電力余裕レポート（ＰＨＲ）が受信されたときに使用されるＰＵＳＣＨ  ＭＣＳ及びＰＲＢの数を探すことによりＵＥごとに計算することができる。このパスロス推定は、ＭＣＳからの推定ＳＩＮＲが使用されるのではなく受信したＳＩＮＲを使用できる場合に良好なビットである。３ＧＰＰ  ＴＳ３６．２１３、セクション５．１．１．１の方程式は、ＵＬパスロスを導出するのに使用できる。これらのパスロス計算を使用してパスロス分布が全てのＵＥにわたって保持される場合には、分布の裾（例えば、１％点）を保持することができる。この１％点（例えば、ステップ（３）、ブロック３３０）を、ＰＤＳＣＨ  ＰＲＢ当りの既知のＤＬ送信電力と結合して使用すると、干渉がないと仮定すれば、ＤＬ  ＳＩＮＲを導出することができる。ＤＬ干渉の余裕（例えば、４から６ｄＢ）をこの１％ＳＩＮＲ点から差し引く必要がある。
【００５６】
同様に、ＵＬパスロスは、受信したＳＲＳ  ＳＩＮＲ、及びＳＲＳ測定に使用するためのＰＲＢの数から推定することができる。ＳＲＳ信号を使用するパルロス分布が決定されると、１％点（例えば、ステップ（３）、ブロック３３０）及びＰＲＢ  ＳＩＮＲ当りのＤＬに対する分布の裾を、ＰＵＳＣＨ／ＰＨＲの場合について上述したように計算することができる。
【００５７】
これら方法の４つ全部（又は上述した組み合わせ）を使用して、適当な１％（適当な点の一例として）のＤＬ  ＳＩＮＲ動作点を見つけることができる。これら４つの方法の中で、ＭＣＳ方法は、最も正確であるが、他の方法も有用である。それ故、以下の説明は、ＭＣＳ方法が使用されると仮定している。
【００５８】
ステップ（４）及びブロック３４５に関しては、第１に、ＤＬ  ＭＣＳが典型的に１０％（１０パーセント）ＢＬＥＲに基づいて選択されるので、最終配信信頼性が第１の送信について１０％とは異なる場合には、１％（１パーセント）裾分布をシフトする必要がある。例えば、ＭＣＳデータが収集されたときＰＤＳＣＨに使用された１０％に対して１％の第１配信欠陥であることを要求するページメッセージが一度送信される。種々のＰＤＣＣＨ  ＣＣＥアグリゲーションレベルのためのリンク曲線は容易に測定されるので、１０％と１％欠陥レートＳＩＮＲとの間のＳＩＮＲ差（ｄＢ）を決定するためのＳＩＮＲオフセットの決定は容易である。リンク曲線は、例えば、送信の信頼性（又は予想エラー率）をＳＩＮＲ（又はＲＦ状態）の関数として示す。
【００５９】
第２に、再送信の影響を考慮する必要もある。例えば、ＢＣＣＨメッセージは、通常、４つの異なるＨＡＲＱ状冗長性バージョンを使用して送信される。従って、これらメッセージに要求されるＳＩＮＲにおいて公称６ｄＢ（１０＊ｌｏｇ10(４)）の改善が得られる。この冗長性は、冗長性がＳＩＮＲの改善を生じるのでＣＥＥ  ＰＤＤＣＨカバレージを狭められる（使用するＣＣＥに関して）ことを意味する。
【００６０】
第３に、これらメッセージの幾つかは、ＰＤＣＣＨ限度を有する。例えば、ページング、ＧＰＣ及びＢＣＣＨメッセージは、４又は８のいずれかのＣＣＥ  ＰＤＣＣＨアグリゲーションレベルを使用して送信されねばならない。しかしながら、コール設定メッセージは、そのような制約はもたず、１、２、４又は８のＰＤＣＣＨ  ＣＣＥアグリゲーションレベルを使用することができる。
【００６１】
従って、メッセージ形式ごとに、ＰＤＣＣＨ  ＣＣＥアグリゲーションレベル及びＰＤＳＣＨエンコーディングは、各メッセージの特徴に基づいて決定することができる。これら特徴の幾つかの例を以下に述べる。
【００６２】
ページング：一度送信し、１％配信信頼性を要求し、４又は８のいずれかのＰＤＣＣＨＣＣＥに限定される。
【００６３】
ＢＣＣＨ：４回送信し、そして第４の送信の後に１％配信信頼性を要求し、４又は８のいずれかのＰＤＣＣＨ  ＣＣＥに限定される。
【００６４】
ＧＰＣ：一度送信し、１％ないし１０％配信信頼性を要求し、４又は８のいずれかのＰＤＣＣＨ  ＣＣＥに限定される。
【００６５】
コール設定メッセージ：数回送信し、第１の送信の後に２％配信信頼性を要求し、全てのＰＤＣＣＨアグリゲーションレベル（１、２、４又は８のＣＣＥ）が使用可能である。
【００６６】
図３のブロックの概念及び上述したステップを例示する上で助けとなるように、以下に一例を示す。この例は、概念であり、必ずしも実際に具現化された例ではないことに注意されたい。ステップ（１）及び図３のブロック３１０において、デフォールトエンコーディングが初期化される。特定のメッセージ形式について、８ＣＣＥ  ＰＤＣＣＨコード化レートの控え目の使用がなされる。というのは、ＲＦ状態が知られていないと仮定すれば、それが最良のカバレージを与えるからである。
【００６７】
ステップ（２）及びブロック３２０及び３２５は、ＲＦ統計情報を累積する。図４は、リスト４００において累積されたＲＦ統計情報の一例を示す。この例は、ＭＣＳを使用し、ＭＣＳに対してゼロから２７までのカウントがある。カウントの‘ｘ’は、そのＭＣＳについてカウントがないことを示す。カウントは、セル内のＵＥ１１０に対してＭＣＳが何回使用されたかを示す。
【００６８】
ステップ３及びブロック３３０において、新たな裾分布動作点が決定される。ターゲットＭＣＳスレッシュホールドとして１％（１パーセント）を取り上げると仮定する。１％を選択するのは、セル内のユーザの９９％（例えば）のカバレージを許すためであることに注意されたい。リスト４００には、全部で７９，８１６のカウントがある。これから、１％点は、７９８のカウントとなる。リスト４００の底部から加算すると、７９８はＭＣＳ０、１、２、３、４を含み、そして和は、ＭＣＳ４で１％点をオーバーフローする。従って、１％点４１０は、ＭＣＳ４となる。
【００６９】
ステップ（３）及びブロック３４０では、使用中のＤＬ  ＭＣＳに対してＡＷＧＮ  ＳＩＮＲテーブルを有すると想定する。そのテーブルは、図５に示すバージョンのようなものである。このテーブル５００では、各ＭＣＳインデックスが、ＰＤＣＣＨ記号に対して３つのＡＷＧＮ  Ｃ／Ｉに対応し、ここでは、１つ、２つ又は３つの記号が使用される。このテーブル５００では、ＭＣＳ４は、参照番号５１０で示されており、そしてＰＤＣＣＨが１つ、２つ又は３つの記号を使用するかに基づいて、−２．８３９、−２．３７３、又は−１．８５２に対応する。
【００７０】
同様に、異なるＰＤＣＣＨ送信フォーマットのＳＩＮＲテーブルを有してもよい。しばしば、ＤＣＩフォーマット２が使用され、そして他のフォーマットがあり、各フォーマットは、それ自身のＳＩＮＲテーブルを有する。ＤＣＩフォーマット２では、ＳＩＮＲテーブルは、次の通りである。
【００７１】
１  ＣＣＥ：７．２ｄＢ
２  ＣＣＥｓ：３．０ｄＢ
４  ＣＣＥｓ：０ｄＢ
８  ＣＣＥｓ：−２．５ｄＢ
【００７２】
この場合に、−２．３７３ｄＢのＳＩＮＲをもつＭＣＳ４（ＰＤＣＣＨ＝２記号、参照番号５２０を参照）は、４つのＣＣＥに要求されるＳＩＮＲより約−２．３ｄＢ小さい。従って、８つのＣＣＥを使用する必要がある。これは、ステップ（５）及びブロック３５０である。１％点がＭＣＳ７である場合には（ＰＤＣＣＨ＝２記号に対して０．９ｄＢ、参照番号５３０を参照）、４つのＣＣＥが使用される。ブロードキャストメッセージについては、４つ又は８つのいずれかのＣＣＥを使用するという選択肢しかない。
【００７３】
従って、１％（例えば）ＭＣＳ分布から、直接使用することを希望するＭＣＳ（前記ＭＣＳ４）を得、次いで、そのＭＣＳに関連したＳＩＮＲから、そのＳＩＮＲを使用して、使用される特定のＰＤＣＣＨメッセージフォーマット（例えば、ＤＣＩフォーマット２）に対するＳＩＮＲ要件に基づいてＰＤＣＣＨアグリゲーションレベルを選択する。
【００７４】
従って、特定形式の全てのメッセージは、同じＰＤＳＣＨ  ＭＣＳコード化レート及びＰＤＣＣＨ  ＣＣＥアグリゲーションレベルにおいて送信される。しかしながら、ブロードキャストメッセージは、他のメッセージとは異なる。これらブロードキャストメッセージの幾つかは、一度送信され、又、幾つかは、４回送信される。一度しか送信されないメッセージは、前記例で述べたように処理される。メッセージが４回（例えば）送信される場合には、メッセージは、４つの繰り返しに対してＳＩＮＲにおいて１０＊ｌｏｇ１０（＃繰り返し）又は６ｄＢまで役立つことができる。この場合に６ｄＢの役に立たないが、６ｄＢのうちの３ｄＢ（例えば）の役に立つ場合には、要求されるＳＩＮＲは、前記例で延べたものに比してＭＣＳ及びＰＤＣＣＨアグリゲーションレベルの両方に対して３ｄＢ高くなる。即ち、ステップ（４）又はブロック３５０において、−２．３７３ｄＢのＳＩＮＲをもつＭＣＳ４の例では（ＰＤＣＣＨ＝２記号、参照番号５２０を参照）、繰り返しを考慮せずに８つのＣＣＥを使用する必要がある。繰り返しを考慮すると、要求されるＳＩＮＲは、３ｄＢ高く、それ故、−２．３ｄＢ＋３ｄＢ＝０．７ｄＢであり、それ故、８つのＣＣＥではなく４つのＣＣＥが使用される。１％点がＭＣＳ７である例では（ＰＤＣＣＨ＝２記号に対して０．９ｄＢ、参照番号５３０を参照）、繰り返しを考慮せずに４つのＣＣＥが使用される。繰り返しが考慮される場合には、０．９ｄＢ＋３ｄＢ又は３．９ｄＢを得ることになり、理論的に２つのＣＣＥが使用される。しかしながら、メッセージ形式のために４つのＣＣＥしか使用されない。
【００７５】
ＰＤＳＣＨシナリオに関しては、これは、それ自身のＵＥごとの特定リンク適応方法がある。しかしながら、今日のそのリンク適応のための出発点は、全てのＵＥに対して固定である。出発点は、出発ＭＣＳ又はリンク適応点をセットするパラメータである。ここに述べる技術の１つ以上を使用して、これを改善することができる。より詳細には、ここに述べる方法を使用して、ＰＤＳＣＨのための「インテリジェント」な出発点を取り上げることができる。即ち、ＰＤＳＣＨコード化レートは、ＵＥごとに自動的に適応される。しかしながら、第１の出発時に、アルゴリズムは、ＲＦ状態を知らず（即ち、アルゴリズムは、まだ適応の機会を有しておらず）、従って、アルゴリズムは、非常に控え目な値で出発する。ここに述べる規範的な実施形態は、あまり控え目でない値で出発することもできる。上述した同じ例を適用できるが、ＳＩＮＲを使用してＣＣＥを取り上げるのではなく、ＳＩＮＲを使用して出発点を取り上げるというものである。
【００７６】
図６を参照すれば、この図は、動的リソース適応の論理フローチャートである。この図は、方法５００の一例の動作、コンピュータ読み取り可能なメモリで実施されるコンピュータプログラムインストラクションの実行の結果、ハードウェアで実施されるロジックにより遂行される機能、及び／又は実施形態の一例による機能を遂行するための相互接続された手段を示す。図６のブロックは、ｅＮＢ１７０のようなベースステーション(又はベースステーション内の小型モジュール)により、例えば、少なくとも一部分は、動的制御チャンネル適応モジュール１５０或いはＳＯＮサーバー１８８又は１９８、或いはそれを実施するように構成されたある装置による制御のもとで、遂行される。方法５００は、例１とも称される。
【００７７】
ブロック５１０において、装置は、セル内の個々のユーザ装置に対する高周波状態を知らずにあるメッセージ形式をもつメッセージが送信されるセルにおいて、セル内の複数のユーザ装置の測定された高周波状態にアクセスする。前記メッセージ形式をもつメッセージは、個々のユーザに対するＲＦ状態を知らずに送信される。即ち、装置は、セル内のユーザ装置に対するＲＦ状態を知らない。「ユーザ装置」という語は、これがどのように使用されるかに基づいて単数又は複数の語であることに注意されたい。ブロック５２０において、装置は、前記測定された高周波状態に基づき、前記メッセージ形式をもつメッセージに対して制御チャンネルの最小制御チャンネルコード化レートを決定する。ブロック５３０において、装置は、前記最小制御チャンネルコード化レートの決定に続いて、制御チャンネルに対する前記決定された最小制御チャンネルコード化レートを使用して、前記メッセージ形式をもつメッセージをセル内の全てのユーザ装置に向けて送信させる。例えば、装置は、セル内の全てのユーザ装置に向けてメッセージをブロードキャストさせることができる。
【００７８】
例２．高周波状態を決定せずに、前記メッセージ形式をもつメッセージに対して制御チャンネルの初期制御チャンネルコード化レートを設定することを更に含む例１に記載の方法。その設定は、最小制御チャンネルコード化レートを決定する前に遂行され、そして決定された最小制御チャンネルコード化レートが前記初期制御チャンネルコード化レートに置き換わる。
【００７９】
例３．前記セル内のユーザ装置の高周波状態の測定は、スレッシュホールド量のサンプルが収集されるまで高周波統計情報のサンプルを累積し；及びスレッシュホールド量のサンプルが収集されたとの決定に応答して、前記測定された高周波状態に基づいて、前記メッセージ形式をもつメッセージに対して制御チャンネルの最小制御チャンネルコード化レートを決定することを遂行する；ことを更に含む、例１から２のいずれか１つに記載の方法。
【００８０】
例４．前記高周波統計情報の累積は、次のもの、即ちダウンリンク変調及びコード化スキーム使用分布；チャンネルクオリティインジケータ分布；アップリンクパスロス分布；又はサウンド基準信号に基づく信号対干渉及び雑音比分布；の１つ以上に対する高周波統計情報を累積する、例３に記載の方法。
【００８１】
例５．前記測定は、前記累積されたサンプルから分布裾動作点を決定することを更に含み、及び前記最小制御チャンネルコード化レートの決定は、前記決定された分布裾動作点に基づいて、前記メッセージ形式をもつメッセージに対する制御チャンネルの最小制御チャンネルコード化レートを決定することを更に含む、例３から４のいずれか１つに記載の方法。
【００８２】
例６．前記最小制御チャンネルコード化レートの決定は、前記メッセージ形式に対する分布裾動作点に基づいて信号対干渉及び雑音を計算し、及びその計算された信号対干渉及び雑音を使用して最小制御チャンネルコード化レートを決定することを更に含む、例５に記載の方法。
【００８３】
例７．前記最小制御チャンネルコード化レートの決定は、前記メッセージ形式をもつメッセージがセル内の全てのユーザ装置へ送信される回数に基づき前記計算された信号対干渉及び雑音を調整することを更に含む、例６に記載の方法。
【００８４】
例８．前記分布裾動作点は、前記メッセージ形式をもつメッセージの送信を遂行するのに応答して、最小制御チャンネルコード化レートの使用によりセル内のユーザ装置がある割合でカバーされるように選択される、例５に記載の方法。
【００８５】
例９．前記方法は、前記最小制御チャンネルコード化レートを決定する前に、且つ制御チャンネルに対して前記決定された最小制御チャンネルコード化レートを使用して前記メッセージ形式をもつメッセージの送信を行う前に、初期制御チャンネルコード化レートを設定し、及びその初期制御チャンネルコード化レートを使用して前記メッセージ形式をもつメッセージをセル内の全てのユーザ装置に送信させることを更に含み；前記決定された最小制御チャンネルコード化レートは、前記初期制御チャンネルコード化レートとは異なる、前記例のいずれか１つに記載の方法。
【００８６】
例１０．前記制御チャンネルは、物理的ダウンリンク制御チャンネルである、前記例のいずれか１つに記載の方法。
【００８７】
例１１．前記最小制御チャンネルコード化レートは、複数のチャンネル制御要素アグリゲーションレベルの１つである、例１０に記載の方法。
【００８８】
例１２．複数の異なるメッセージ形式があり、各メッセージ形式は、ある数の異なるチャンネル制御要素アグリゲーションレベルに限定され、前記制御チャンネルに対して最小制御チャンネルコード化レートを決定することは、前記メッセージ形式に対する異なるチャンネル制御要素アグリゲーションレベルの前記数を考慮する、例１１に記載の方法。
【００８９】
例１３．前記メッセージ形式は、次のもの：即ちページング；ブロードキャスト制御チャンネル；グループ電力制御；及びコール設定メッセージング；の少なくとも１つである、前記例のいずれか１つに記載の方法。
【００９０】
例１４．前記測定された高周波状態に基づき、物理的ダウンリンク共有チャンネルに適した第２のメッセージ形式をもつメッセージに対して物理的ダウンリンク共有チャンネルの最小コードレートを決定し；及び前記物理的ダウンリンク共有チャンネルの最小コード化レートの前記決定に応答して、前記物理的ダウンリンク共有チャンネルの前記決定された最小コード化レートを使用して、前記第２のメッセージ形式をもつメッセージの送信を行わせる；ことを更に含む、前記例のいずれか１つに記載の方法。
【００９１】
例１５．高周波状態を決定することなく、第２のメッセージ形式をもつメッセージに対して物理的ダウンリンク共有チャンネルの初期コード化レートを設定することを更に含み、この物理的ダウンリンク共有チャンネルの初期コード化レートの設定は、物理的ダウンリンク共有チャンネルの最小コード化レートの決定の前に行われ、及び物理的ダウンリンク共有チャンネルの前記決定された最小コード化レートが前記物理的ダウンリンク共有チャンネルの初期コード化レートに置き換わる、例１４に記載の方法。
【００９２】
例１６．前記第２のメッセージ形式は、次のもの：即ち、ページング；初期コール設定；及びブロードキャスト；の少なくとも１つである、例１４又は１５のいずれか１つに記載の方法。
【００９３】
例１７．ベースステーションにより遂行されるものであって、ベースステーションは、高周波状態にアクセスする前にセル内の複数のユーザ装置の高周波状態を測定し、及び制御チャンネルに対する前記決定された最小制御チャンネルコード化レートを使用して前記メッセージ形式をもつメッセージの送信を行う、前記例のいずれか１つに記載の方法。
【００９４】
例１８．自己編成サーバーにより遂行される、例１から１６のいずれかに記載の方法。
【００９５】
別の例は、セル内の個々のユーザ装置に対する高周波状態を知らずにあるメッセージ形式をもつメッセージが送信されるセルにおいて、セル内の複数のユーザ装置の測定された高周波状態にアクセスするための手段；その測定された高周波状態に基づき、そのメッセージ形式をもつメッセージに対して制御チャンネルの最小制御チャンネルコード化レートを決定するための手段；及びその最小制御チャンネルコード化レートの決定に続いて、制御チャンネルに対するその決定された最小制御チャンネルコード化レートを使用して、そのメッセージ形式をもつメッセージをセル内の全てのユーザ装置に向けて送信させるための手段；を備えた装置である。更に別の例は、この段落の装置、及び例２から１８を遂行するための手段を備えた別の装置である。
【００９６】
付加的な規範的実施形態は、コンピュータプログラムがプロセッサで実行されるときに例１から１８の方法を遂行するためのコードを含むコンピュータプログラムを包含する。この段落のコンピュータプログラムは、コンピュータに使用するためのここに実施されるコンピュータプログラムコードを保持するコンピュータ読み取り可能な媒体を含むコンピュータプログラム製品である。
【００９７】
規範的装置は、１つ以上のプロセッサ、及びコンピュータプログラムコードを含む１つ以上のメモリを備えている。１つ以上のメモリ及びコンピュータプログラムコードは、１つ以上のプロセッサとで、装置に、例１から１８の方法のいずれかを遂行させるよう構成される。
【００９８】
規範的コンピュータプログラム製品は、コンピュータに使用するためのここに実施されるコンピュータプログラムコードを保持するコンピュータ読み取り可能なストレージ媒体を含む。コンピュータプログラムコードは、例１から１８の方法のいずれかを遂行するためのコードを含む。
【００９９】
前記例は、主として、ＰＤＣＣＨ及びＰＤＳＣＨについて述べたが、ここに述べる実施形態は、他の制御チャンネル又はデータ保持チャンネルにも適用することができる。
【０１００】
本発明の実施形態の幾つかの例は、少なくとも次の点で従来の解決策とは異なる。
【０１０１】
−現在のシステムは、これらのメッセージに対して固定数のＰＤＣＣＨ  ＣＣＥを使用し、及び／又は
−現在のシステムは、これらのメッセージに対して固定のＰＤＳＣＨエンコーディングを使用する。
【０１０２】
ここに述べる幾つかの実施形態の影響及び技術的な効果の幾つかの例は、次の通りである。
【０１０３】
−一次的な影響：サイトのＲＦ状態が許す場合にはＰＤＣＣＨの影響を減少するようにメッセージを自動的に構成する。
−二次的な影響：ＰＤＳＣＨ容量への影響を減少するようにＰＤＳＣＨコードを自動的に構成する。
【０１０４】
以下の請求項の範囲、解釈又は適用を何ら限定することなく、ここに開示する実施形態の１つ以上の例の技術的効果は、高負荷のセルに対するＰＤＣＣＨ（例えば、そしてＰＤＳＣＨも）の使用を改善することである。ここに開示する実施形態の１つ以上の例の別の技術的効果は、ＰＤＣＣＨ（例えば、そしてＰＤＳＣＨも)リソースをより効率的に使用することである。ここに開示する実施形態の１つ以上の例の別の技術的効果は、ＲＦ測定を使用して、例えば、最小ＰＤＣＣＨコード化レート、及びＵＥのＲＦ状態を知らずに送信されるメッセージ形式に対する最小ＰＤＳＣＨコード化レートを決定し、そしてＰＤＣＣＨ、及び例えばＰＤＳＣＨ、を経てそのメッセージ形式のメッセージを送信することである。
【０１０５】
ここに述べる少なくとも幾つかの実施形態は、ソフトウェア(１つ以上のプロセッサで実行される)、ハードウェア(例えば、特定用途向け集積回路)、又はそれらの組み合わせで具現化される。一実施形態の例において、ソフトウェア(例えば、アプリケーションロジック、インストラクションセット)は、種々の従来のコンピュータ読み取り可能な媒体のいずれかに維持される。本書において、「コンピュータ読み取り可能な媒体」とは、インストラクション実行システム、装置又はデバイス、例えば、コンピュータ、により又はそれに関連して使用するためのインストラクションを収容し、記憶し、通信し、伝播し又は搬送することのできる媒体又は手段であり、コンピュータの一例は、例えば、図１に示して説明したものである。コンピュータ読み取り可能な媒体は、インストラクション実行システム、装置又はデバイス、例えば、コンピュータ、により又はそれに関連して使用するためのインストラクションを収容し又は記憶することのできる媒体又は手段であるコンピュータ読み取り可能なストレージ媒体（例えば、メモリ１２５、１５５、１７１又は他の装置）を含む。コンピュータ読み取り可能なストレージ媒体は、伝播信号を含まない。
【０１０６】
必要に応じて、ここに開示した異なる機能を異なる順序で及び／又は互いに同時に遂行することができる。更に、必要に応じて、上述した機能の１つ以上が任意でもよいし又は組み合わされてもよい。
【０１０７】
本発明の種々の態様が独立請求項に記載されているが、本発明の他の態様は、請求項に明確に記載された組み合わせだけではなく、前記実施形態及び／又は従属請求項からの特徴と、独立請求項の特徴との他の組み合わせも包含する。
【０１０８】
又、本発明の規範的な実施形態を上述したが、これらの説明は、それに限定されるものでないことに注意されたい。むしろ、請求項に既定された本発明の範囲から逸脱せずに多数の変更や修正がなされ得る。
【０１０９】
明細書及び／又は添付図面に見られる省略形は、次のように定義される。
３ＧＰＰ：第３世代パート
ＡＷＧＮ：加算的ホワイトガウスノイズ
ＢＣＣＨ：ブロードキャスト制御チャンネル
ＢＬＥＲ：ブロックエラー率
ＣＣＥ：チャンネル制御要素
ＣＣＣＨ：共通制御チャンネル
Ｃ／Ｉ：キャリア対干渉比
ＣＦＩ：制御フォーマットインジケータ
Ｃ−ＳＯＮ：集中自己編成ネットワーク
ＣＱＩ：チャンネルクオリティインジケータ
ｄＢ：デシベル
ＤＣＣＨ：専用制御チャンネル
ＤＣＩ：ダウンリンク制御情報
ＤＬ：ダウンリンク（ベースステーションからユーザ装置へ）
Ｄ−ＳＯＮ：非集中自己編成ネットワーク
ＤＴＣＨ：専用トラフィックチャンネル
ｅＮＢ又はｅＮｏｄｅＢ：ＬＴＥベースステーション、進化型ノードＢ
ＧＰＣ：グループ電力制御
ＨＡＲＱ：ハイブリッド自動リピート要求
ＬＴＥ：長期進化
ＭＣＳ：変調及びコード化スキーム
ＭＨｚ：メガヘルツ
ＭＬＢ：移動負荷バランス
ＭＭＥ：移動管理エンティティ
ＰＣＦＩＣＨ：物理的制御フォーマットインジケータチャンネル
ＰＤＣＣＨ：物理的ダウンリンク制御
ＰＤＳＣＨ：物理的ダウンリンク共有チャンネル
ＰＤＵ：プロトコルデータユニット
ＰＨＲ：電力余裕レポート
ＰＲＢ：物理的リソースブロック
ＰＵＣＣＨ：物理的アップリンク制御チャンネル
ＰＵＳＣＨ：物理的アップリンク共有チャンネル
ＲＡＮ：無線アクセスネットワーク
Ｒｅｌ：リリース
ＲＦ：高周波
ＲＲＣ：無線リソース制御
Ｒｘ：受信器
ＳＧＷ：サービングゲートウェイ
ＳＩＮＲ：信号対干渉及び雑音比
ＳＯＮ：自己編成ネットワーク
ＳＲＳ：サウンド基準信号
ＴＳ：技術的仕様
Ｔｘ：送信
ＵＥ：ユーザ装置
ＵＬ：アップリンク（ユーザ装置からベースステーション）
【符号の説明】
【０１１０】
１００：ワイヤレスネットワーク
１１０：ユーザ装置ＵＥ
１２０：プロセッサ
１２３：コンピュータプログラムコード
１２５：メモリ
１２７：バス
１２８：アンテナ
１３０：トランシーバ
１３２：受信器Ｒｘ
１３３：送信器Ｔｘ
１５０：動的制御チャンネル適応モジュール
１５２：プロセッサ
１５５：メモリ
１５７：バス
１６０：トランシーバ
１６１：ネットワークインターフェイス（Ｎ／Ｗ  Ｉ／Ｆ）
１６２：受信器Ｒｘ
１６３：送信器Ｔｘ
１７０：ｅＮＢ
１７１：メモリ
１７３：コンピュータプログラムコード
１７５：プロセッサ
１７６：リンク
１８０：ネットワークインターフェイス（Ｎ／Ｗ  Ｉ／Ｆ）
１８５：バス
１８８：Ｄ−ＳＯＮサーバー
１９０：ネットワーク制御要素（ＮＣＥ）
１９８：Ｃ−ＳＯＮサーバー
【図１】
2016100903.tif 000003
【図３】
2016100903.tif 000004
【図４】
2016100903.tif 000005
【図５】
2016100903.tif 000006
【図６】
2016100903.tif 000007
【図２】
2016100903.tif 000008
【外国語明細書】
2016100903000001.pdf